(57)【要約】  注射器１０は、ガスケット３と外筒２とプランジャ４とを備える。プランジャ４は、ヘッド部４２に設けられた螺旋状リブ４４を備え、ガスケットは、螺旋状リブと螺合する螺合部３３と、プランジャ抜け止め用環状リブ３４と、プランジャの螺旋状リブ形成部位収納部３２を備える。環状リブ３４は、環状リブに到達した螺旋状リブを収納部に誘導するためのリブ欠損部３５を備える。ガスケットは、先端側環状リブ３８と基端側環状リブ３９間、かつ、環状リブ３４の基端側部分かつ螺旋状突起３６の先端３６ｃの側部となる部位に設けられた中間部環状リブ３７を備える。
2014196057.tif 000002
【特許請求の範囲】
【請求項１】
先端が閉塞し基端が開口する筒状体であり、かつ、基端側より先端側に延びる内腔部を備えるガスケットと、先端開口部を備えかつ前記ガスケットを摺動可能に収納する外筒と、前記ガスケットの前記内腔部内に収納可能なヘッド部を有するプランジャとを備える注射器であって、
前記プランジャは、前記ヘッド部の外面に設けられた螺旋状リブを備え、
前記ガスケットは、前記内腔部の内面に、前記プランジャの前記螺旋状リブと螺合する螺合部を形成する螺旋状突起と、該螺旋状突起の付近かつ先端側に位置するプランジャ抜け止め用環状リブとを備え、さらに、前記内腔部は、前記抜け止め用環状リブより先端側に前記プランジャの前記ヘッド部の前記螺旋状リブ形成部位を収納するための収納部を備え、前記抜け止め用環状リブは、前記プランジャと前記ガスケットの螺合の進行により前記抜け止め用環状リブに到達した前記螺旋状リブを前記収納部に誘導するためのリブ欠損部を備え、
前記ガスケットは、外周面に、前記外筒の内径よりも大きな外径を有する先端側環状リブと、前記外筒の内径よりも大きな外径を有する基端側環状リブと、前記先端側環状リブと前記基端側環状リブ間に設けられた中間部環状リブを備え、さらに、前記中間部環状リブは、前記抜け止め用環状リブの側部となる部位に設けられていることを特徴とする注射器。
【請求項２】
前記中間部環状リブの外径は、前記先端側環状リブの外径および前記基端側環状リブの外径よりも小さいものとなっている請求項１に記載の注射器。
【請求項３】
前記中間部環状リブは、前記外筒の内径よりも大きな外径を有している請求項２に記載の注射器。
【請求項４】
前記中間部環状リブと前記外筒の内周面との接触面積は、前記先端側環状リブと前記外筒の内周面との接触面積および前記基端側環状リブと前記外筒の内周面との接触面積よりも小さいものとなっている請求項３に記載の注射器。
【請求項５】
前記中間部環状リブの縦断面形状は、頂部を有する山型形状である請求項１に記載の注射器。
【請求項６】
前記中間部環状リブは、前記中間部環状リブの最も外側に突出した頂点部が、前記抜け止め用環状リブの基端側部分の側部に位置するように設けられている請求項１に記載の注射器。
【請求項７】
前記螺旋状突起の先端は、前記抜け止め用環状リブの前記リブ欠損部に隣接する部分に連結しており、前記螺旋状突起の先端部の先端側の面は、前記リブ欠損部の基端に隣接している請求項１に記載の注射器。
【請求項８】
前記ヘッド部は、軸部を備え、前記螺旋状リブは、前記軸部に設けられており、さらに、前記螺旋状リブの基端は、前記軸部の中心軸に対してほぼ直交するように、前記軸部の周方向に延びる周方向延出部となっている請求項１に記載の注射器。
【請求項９】
前記注射器は、プレフィルドシリンジ用の注射器である請求項１に記載の注射器。
【請求項１０】
請求項１に記載の注射器と、前記外筒の前記先端開口部を封止する封止部材と、前記外筒内に収納された薬剤とを備えるプレフィルドシリンジ。
【発明の詳細な説明】
【技術分野】
【０００１】
本発明は、注射器および予め薬液が充填されたプレフィルドシリンジに関する。
【背景技術】
【０００２】
近年、予め薬液などの液体が充填されたプレフィルドシリンジが多く利用されている。このようなプレフィルドシリンジの中には、バイアル内の薬剤を溶解するための溶解液が充填されているものもある。
プレフィルドシリンジにおけるガスケット挿入は、先端開口がシールされた外筒内に薬剤を充填した状態とし、減圧下雰囲気（真空下雰囲気）にて、ガスケットを外筒の開口部に配置し、その後、常圧状態とすることにより、ガスケットを外筒内に挿入させるといういわゆる真空打栓といわれる方法を用いるのが一般的である。ガスケットにプランジャが装着された状態では、外筒の開口部へのガスケットの配置が困難であるため、ガスケット単体にて上記の打栓作業が行われる。このため、プレフィルドシリンジとしては、外筒内にガスケットを挿入後に、ガスケットにプランジャを装着する作業を行うことが一般的である。そして、ガスケットへのプランジャ装着作業を容易なものとし、かつ、装着作業時における液漏れ発生防止、内部圧の上昇抑制を少ないものとするために、プランジャに雄ねじ部、ガスケットに雌ねじ部を設け、両者の螺合による装着機構を有するものが一般的となっている。【０００３】
そして、上述したように、溶解液が充填されたプレフィルドシリンジでは、バイアル内の薬剤を溶解液で溶解したり、溶解した薬剤を回収したりするために、ガスケットに装着されたプランジャを引く操作を行う場合がある。しかし、プランジャを引く操作を行った際に行う場合、プランジャがガスケットから外れ、薬剤を溶解できなかったり、溶解した薬剤を回収できない恐れがあった。【０００４】
このようなガスケットの外れ防止機構を有するものとしては、プランジャの螺旋状リブと螺合する螺旋状螺合部が設けられたガスケットの内腔部に、螺旋状螺合部よりも奥側に、プランジャの抜け止め用環状リブを備えるものが知られている。ねじ込まれたプランジャの螺旋状リブを、ガスケットの内腔部に設けられた抜け止め用環状リブの奥側の収納部に収納して、ガスケットの外れ防止をおこなうものである。そして、このような外れ防止機構のうち、抜け止め用環状リブを備えていても、プランジャのねじ込み装着時にガスケットが回転することがなく、また、ガスケットへのプランジャの装着を容易にするものとしては、本願出願人が提案する特開２００９−１４２５０８号公報（特許文献１）がある。【０００５】
特許文献１の注射器１０は、ガスケット３と外筒２とプランジャ４とを備える。プランジャ４は、ヘッド部４２の外面に設けられた螺旋状リブ４４を備え、ガスケットは、螺旋状リブ４４と螺合するための螺旋状螺合部３３と、螺旋状螺合部３３の付近かつ先端側に位置するプランジャ抜け止め用環状リブ３４と、プランジャ４のヘッド部４２の螺旋状リブ形成部位収納部３２を備える。そして、抜け止め用環状リブ３４は、プランジャの螺旋状リブとガスケットの螺旋状螺合部との螺合の進行により、抜け止め用環状リブに到達した螺旋状リブを収納部に誘導するためのリブ欠損部３５を備えている。この注射器１０では、ガスケット３へのプランジャ４の装着の際には、螺旋状リブ４４は、リブ欠損部３５を通って抜け止め用環状リブ３４を通過するものとなっており、抜け止め用環状リブ３４を直接乗り越えるものではないため、螺旋状リブ４４と抜け止め用環状リブ３４とが強く接触することがなく、装着作業時におけるプランジャ４の回転によりガスケット３が回転することがない。また、螺旋状リブ４４が抜け止め用環状リブ３４を直接乗り越えるものではないため、装着作業も容易におこなうことができる。
【先行技術文献】
【特許文献】
【０００６】
【特許文献１】特開２００９−１４２５０８号公報（図１３等）
【発明の概要】
【発明が解決しようとする課題】
【０００７】
特許文献１のものでは、抜け止め用環状リブ３４にリブ欠損部３５を設けることにより、ガスケット３へのプランジャ４のねじ込み装着の作業時には、ガスケット３の抜け止め用環状リブ３４とプランジャ４の螺旋状リブ４４とが強く接触しないように構成され、装着作業時においてプランジャ４の回転によりガスケット３までもが回転することなく、プランジャ４の装着作業も容易である。本発明者等が鋭意検討したところ、抜け止め用環状リブ３４にリブ欠損部３５が備えられているため、プランジャ４を外筒２から引き抜くように基端側に引っ張って抜け止め用環状リブ３４に力が加わった場合に、ゴム等の軟質な材料からなるガスケット３の抜け止め用環状リブ３４の内径が広がり、プランジャ４がガスケット３から離脱する恐れがあることを知見した。そこで、プランジャ４を外筒２から引き抜くような力が加わった場合に対して、プランジャ４がガスケット３からの離脱をより確実に防止できるものを検討した。【０００８】
本発明の目的は、プランジャの装着時にガスケットの回転を招くことがなく、ガスケットへのプランジャ装着を容易とするとともに、さらに、装着後のプランジャからのガスケットの離脱を確実に抑制することができる注射器およびそれを用いたプレフィルドシリンジを提供するものである。
【課題を解決するための手段】
【０００９】
上記目的を達成するものは、以下のものである。
先端が閉塞し基端が開口する筒状体であり、かつ、基端側より先端側に延びる内腔部を備えるガスケットと、先端開口部を備えかつ前記ガスケットを摺動可能に収納する外筒と、前記ガスケットの前記内腔部内に収納可能なヘッド部を有するプランジャとを備える注射器であって、前記プランジャは、前記ヘッド部の外面に設けられた螺旋状リブを備え、前記ガスケットは、前記内腔部の内面に、前記プランジャの前記螺旋状リブと螺合する螺合部を形成する螺旋状突起と、該螺旋状突起の付近かつ先端側に位置するプランジャ抜け止め用環状リブとを備え、さらに、前記内腔部は、前記抜け止め用環状リブより先端側に前記プランジャの前記ヘッド部の前記螺旋状リブ形成部位を収納するための収納部を備え、前記抜け止め用環状リブは、前記プランジャと前記ガスケットの螺合の進行により前記抜け止め用環状リブに到達した前記螺旋状リブを前記収納部に誘導するためのリブ欠損部を備え、前記ガスケットは、外周面に、前記外筒の内径よりも大きな外径を有する先端側環状リブと、前記外筒の内径よりも大きな外径を有する基端側環状リブと、前記先端側環状リブと前記基端側環状リブ間に設けられた中間部環状リブを備え、さらに、前記中間部環状リブは、前記抜け止め用環状リブの側部となる部位に設けられている注射器。
【図面の簡単な説明】
【００１０】
【図１】図１は、本発明の実施例の注射器を用いたプレフィルドシリンジの正面図である。
【図２】図２は、図１に示したプレフィルドシリンジの縦断面図である。
【図３】図３は、本発明の注射器に使用されるガスケットの拡大正面図である。
【図４】図４は、図３のＡ−Ａ線断面図である。
【図５】図５は、図４のＢ−Ｂ線断面図である。
【図６】図６は、本発明の注射器に使用されるプランジャの正面図である。
【図７】図７は、図６に示したプランジャの先端部の拡大右側面図である。
【図８】図８は、本発明の注射器におけるガスケットとプランジャの装着時の作用を説明するための説明図である。
【図９】図９は、本発明の注射器に使用される外筒の一例の部分破断正面図である。
【図１０】図１０は、本発明の注射器に使用されるシールキャップの一例の断面図である。
【図１１】図１１は、本発明の注射器に使用される他の例のプランジャの先端部の拡大正面図である。
【図１２】図１２は、図１１に示したプランジャの右側面図である。
【図１３】図１３は、図１１および図１２に示すプランジャを用いた注射器におけるガスケットとプランジャの装着時の作用を説明するための説明図である。
【発明を実施するための形態】
【００１１】
以下、本発明の注射器およびプレフィルドシリンジについて、図面に示した実施の形態を用いて説明する。
本発明の注射器１０は、図１および図２に示すように、先端が閉塞し基端が開口する筒状体であり、かつ、図４に示すように、基端側より先端側に延びる内腔部３０を備えるガスケット３と、図２に示すように、先端開口部を備えかつガスケット３を摺動可能に収納する外筒２と、図６に示すように、ガスケット３の内腔部３０内に収納可能なヘッド部４２を有するプランジャ４とを備える。
そして、ガスケットは、図８に示すように、内腔部３０の内面に、プランジャ４の螺旋状リブ４４と螺合する螺合部を形成する螺旋状突起３６と、螺旋状突起３６の付近かつ先端側に位置するプランジャ抜け止め用環状リブ３４とを備える。さらに、内腔部３０は、抜け止め用環状リブ３４より先端側にプランジャ４のヘッド部４２の螺旋状リブ形成部位を収納するための収納部３２を備える。抜け止め用環状リブ３４は、プランジャ４とガスケット３の螺合の進行により、抜け止め用環状リブ３４に到達した螺旋状リブ４４を収納部３２に誘導するためのリブ欠損部３５を備えている。
さらに、ガスケット３の外周面には、外筒２の内径よりも大きな外径を有する先端側環状リブ３８と、外筒２の内径よりも大きな外径を有する基端側環状リブ３９と、先端側環状リブ３８と基端側環状リブ３９間に設けられた中間部環状リブ３７を備える。中間部環状リブ３７は、抜け止め用環状リブ３４の側部となる部位に設けられている。
【００１２】
このため、プランジャ４の螺旋状リブ４４が抜け止め用環状リブ３４を押し広げるように、プランジャ４が強く基端側に引かれた時、抜け止め用環状リブ３４に付与される基端側への変形力は、中間部環状リブ３７に伝達される。中間部環状リブ３７は、外筒２の内周面に当接することにより、伝達される力に対抗し、抜け止め用環状リブ３４の変形を阻害する。これにより、抜け止め用環状リブ３４が所定以上押し広げられることが防止される。よって、螺旋状リブ４４の基端面と抜け止め用環状リブ３４の先端面との当接状態が維持され、プランジャが基端側に引かれた時におけるプランジャの離脱が防止される。また、抜け止め用環状リブ３４にはリブ欠損部３５が設けられているため、プランジャ４の螺旋状リブ４４が抜け止め用環状リブ３４を乗り越えやすいものとなっている。もし、乗り越え時に、螺旋状リブ４４がリブ欠損部３５付近の抜け止め用環状リブ３４と強く接触することにより抵抗が発生した場合には、中間部環状リブ３７が内側から押され、外筒２の内面に強く接触するため、ガスケット３の回転抵抗も高くなる。このため、中間部環状リブは３７、プランジャの装着時、特に、螺旋状リブ４４のリブ欠損部通過時におけるガスケット３の回転を防止する。
【００１３】
また、図１および図２に示すように、本発明のプレフィルドシリンジ１は、プレフィルドシリンジ用注射器１０と、外筒２の先端開口部を封止する封止部材５と、外筒２内に収納された薬剤８とを備える。この実施例の注射器１０は、外筒２と、外筒２内に摺動可能に収納されたガスケット３と、ガスケット３に取り付けられたまたは取付可能なプランジャ４とからなる。そして、プレフィルドシリンジ１は、上記の注射器１０と、外筒２の先端開口部を封止する封止部材５と、注射器内（外筒内）に収納された薬剤８とからなる。この実施例のガスケット３は、図１ないし図５に示すように、閉塞した先端と、基端開口より先端側に延びる内腔部３０を有する筒状体である。図３および図４に示すように、ガスケット３の先端部位には、先端側に向かってテーパー状に縮径するテーパー部３１を有する。
【００１４】
シリンジ用ガスケット３は、内腔部３０を備え、この内腔部３０が、プランジャ取付機能を備えている。内腔部３０は、その内面に、プランジャ４の螺旋状リブ４４と螺合するための螺合部３３を形成する螺旋状突起３６と、螺旋状突起３６の付近かつ先端側に位置するプランジャ抜け止め用環状リブ３４とを備える。さらに、内腔部３０は、抜け止め用環状リブ３４より先端側にプランジャ４のヘッド部４２の螺旋状リブ形成部位を収納するための収納部３２を備える。抜け止め用環状リブ３４は、プランジャ４のヘッド部４２の螺旋状リブ４４とガスケット３の螺合部３３との螺合の進行により、抜け止め用環状リブ３４に到達した螺旋状リブ４４を収納部３２に誘導するためのリブ欠損部３５を備えている。
【００１５】
螺合部３３は、内腔部３０の開口部付近に基端３３ａを有し、先端方向に所定長延び、かつ、抜け止め用環状リブ３４のリブ欠損部３５付近に先端３３ｂを有している。この実施例では、螺合部３３は、後述するするプランジャ４のヘッド部４２の螺旋状リブ４４に対応するように、二条（二本）の螺合部３３となっている。そして、この実施例のガスケット３では、図４および図５に示すように、２本の螺旋状突起３６（３６ａ，３６ｂ）を備えている。なお、上記のような複数（具体的には、二条）の螺旋状突起を備えることが好ましいが、螺旋状突起は、一条（一本）のみであってもよい。
また、この実施例では、螺合部３３は、ガスケット３の内腔部３０の内壁面より突出する螺旋状突起３６間により形成された溝状部分となっている。螺合部３３は、プランジャ４の螺旋状リブ４４と螺合可能であり、かつ、螺旋状リブ４４を先端方向に誘導可能となっている。
【００１６】
そして、ガスケット３は、螺合部３３の付近かつ螺合部３３より先端側に位置する部位の内面に設けられたプランジャ抜け止め用環状リブ３４を備えている。この実施例のガスケットでは、抜け止め用環状リブ３４は、ガスケット３の中心軸に対してほぼ直交する方向に延びるものとなっている。なお、抜け止め用環状リブ３４は、ガスケット３の中心軸に対して直交する方向に延びることが望ましいが、直交状態より若干斜めとなっていてもよい。また、ガスケット３は、抜け止め用環状リブ３４より先端側にプランジャ４のヘッド部４２の螺旋状リブ形成部位を収納するための収納部３２を備えている。
【００１７】
さらに、抜け止め用環状リブ３４は、プランジャ４のヘッド部４２の螺旋状リブ４４とガスケット３の螺合部３３との螺合の進行により、抜け止め用環状リブ３４に到達した螺旋状リブ４４を収納部３２に誘導するためのリブ欠損部３５を備えている。特に、この実施例のガスケット３では、上述したように、螺合部３３は、二条の螺旋状リブに対応する二条の螺旋状螺合部となっており、これに対応するように、抜け止め用環状リブのリブ欠損部は、図５に示すように、ほぼ向かい合う位置に２つ設けられている。言い換えれば、このガスケット３では、２つに区分された抜け止め用環状リブ３４ａ、３４ｂと、両者間に位置する２つのリブ欠損部３５ａ，３５ｂを備えるものとなっている。さらに、図５に示すように、抜け止め用環状リブ３４（３４ａ，３４ｂ）は、リブ欠損部３５（３５ａ，３５ｂ）に向かって徐々にリブが小さくなっていることが好ましい。なお、抜け止め用環状リブ３４（３４ａ，３４ｂ）は、リブ欠損部３５（３５ａ，３５ｂ）に向かって徐々に幅が狭くなるもの、または徐々に高さが低くなるもの、さらには、徐々に幅が狭くなるとともに徐々に高さも低くなるもののいずれであってもよい。このようにすることにより、プランジャ４の螺旋状リブ４４の抜け止め用環状リブ３４の通過、言い換えれば、収納部３２への進入がより容易なものとなる。なお、リブ欠損部は当該部分の抜け止め用環状リブが完全に欠損していなくても、ヘッド部の螺旋状リブを誘導する機能を有する程度に欠損していればよい。
【００１８】
そして、螺旋状突起３６は、内腔部３０の開口部付近に基端を有し、先端方向に所定長延び、かつ、抜け止め用環状リブ３４のリブ欠損部３５に隣接する部分に連結した先端３６ｃを有している。そして、螺旋状突起３６の先端部の先端側の面は、リブ欠損部３５の基端に隣接している。これにより、螺旋状リブ４４は、リブ欠損部３５付近の抜け止め用環状リブ３４を大きく変形させることなくリブ欠損部３５を通過して、抜け止め用環状リブ３４を乗り越えることができる。抜け止め用環状リブ３４は、中間部環状リブ３７により変形し難くなっているが、リブ欠損部３５により、抜け止め用環状リブ３４を大きく変形させることなく螺旋状リブ４４が抜け止め用環状リブ３４を乗り越えられる。このため、ガスケット３へのプランジャ４の装着が容易となる。また、この実施例では、抜け止め用環状リブ３４は、欠損部３５により形成された一端と他端を有している。そして、螺旋状突起３６の先端部は、欠損部３５に近接しかつ先端方向に向かって斜めに延び、螺旋状突起３６の先端部の先端は、抜け止め環状リブ３４の一端の基端側側面と連結している。
【００１９】
そして、図４に示すように、螺旋状突起３６と抜け止め用環状リブ３４との距離は、リブ欠損部３５に向かって（同様に、螺合部３３の先端３３ｂに向かって）狭くなるものとなっている。このため、プランジャ４の螺旋状リブ４４の抜け止め用環状リブ３４のリブ欠損部３５への誘導を確実なものとしている。また、ガスケット３の螺合部３３を形成するための螺旋状突起３６の突出高さは、抜け止め用環状リブ３４の突出高さより、高いものであることが好ましい。ガスケット３へのプランジャ４の装着の際、回転されるプランジャ４の螺旋状リブ４４が、抜け止め用環状リブ３４のリブ欠損部３５を確実に通過して収納部３２内に螺旋状リブ４４形成部位が収納されるようにするために、螺旋状突起３６と螺旋状リブ４４が螺合状態を確実に保つことが容易となるためである。
【００２０】
抜け止め用環状リブ３４の高さ（内側への突出長）は、ガスケットの大きさや硬さによって相違するが、０．５〜２．０ｍｍであることが好ましく、特に、０．８〜１．５ｍｍが好ましい。また、ガスケット３の周方向における抜け止め用環状リブ３４のリブ欠損部３５の幅は、０．５〜３．０ｍｍであることが好ましく、特に、０．５〜１．５ｍｍが好ましい。
また、ガスケット３は、先端部内面の中央部に基端側に突出する小さな突起部を備えている。この突起部は、ガスケット３の先端部が基端側に変形したときに、プランジャのヘッド部の先端に当接可能なものとなっており、ガスケット３の先端部の過剰な変形を防止する。突起部は、略半球状であることが好ましい。そして、ガスケット３は、直径が５〜３０ｍｍ、全長が５〜３０ｍｍ程度のものが一般的である。
【００２１】
そして、ガスケット３の外周面には、外筒２の内径より大きな外径を有する先端側環状リブ３８と、外筒２の内径より大きな外径を有する基端側環状リブ３９と、先端側環状リブ３８と基端側環状リブ３９間に設けられた中間部環状リブ３７を備える。
先端側環状リブ３８は、筒状本体部の先端部外面に設けられ、基端側環状リブ３９は、本体部の基端部外面に設けられている。先端側環状リブ３８の外径および基端側環状リブ３９の外径は、外筒２の内径より０．５〜１．５ｍｍ大きいことが好ましく、特に、外筒２の内径が８〜１０ｍｍの場合、外筒２の内径より０．５〜０．８ｍｍ大きいことが好ましい。これにより、ガスケット３と外筒２の内周面との間の液密性を保ちながら、外筒２内を摺動するガスケット３の摺動抵抗を低く抑えることができる。また、先端側環状リブ３８および基端側環状リブ３９は、ガスケット３の軸方向に直線状に延びる最も外側に突出した頂点部を有している。先端側環状リブ３８の頂点部は、図３に示すように、軸方向に幅広に形成されていることが好ましい。また、先端側環状リブ３８の頂点部の軸方向の長さは、基端側環状リブ３９の軸方向の長さより長いことが好ましい。先端側環状リブ３８の軸方向の長さは、０．８〜２ｍｍ、特に、０．８〜１．５ｍｍであることが好ましい。基端側環状リブ３９の軸方向の長さは、０．１〜１．０ｍｍ、特に、０．２〜０．５ｍｍであることが好ましい。以上のような構成により、ガスケット３と外筒２の内周面との接触面積が大きくなるので液密性が高くなり薬液が漏れにくくなる。
【００２２】
中間部環状リブ３７は、ガスケット３の外周面に設けられており、先端側環状リブ３８と基端側環状リブ３９との間に形成されている。中間部環状リブ３７は、ガスケット３の外周面に沿って、ガスケット３の中心軸に直交する方向において周設されている。また、図３ないし図５に示すように、中間部環状リブ３７は、ガスケット３の外周面からほぼ一様にガスケット３の全周に渡って突出されるように形成されている。
図４に示すように、中間部環状リブ３７は、抜け止め用環状リブの側部となる部位に設けられている。また、プランジャ４が強く基端側に引かれた時、抜け止め用環状リブ３４に付与される基端側への変形力は、抜け止め用環状リブ３４の先端面より若干基端側に位置するガスケット３の外周面に伝達される。このため、中間部環状リブ３７は、抜け止め用環状リブ３４の先端面より基端側に位置していることが好ましい。これにより、抜け止め用環状リブ３４の変形がより確実に阻害され、螺旋状リブ４４の基端面と抜け止め用環状リブ３４の先端面との当接状態がより確実に維持され、プランジャ４のガスケット３からの離脱がより確実に防止される。
【００２３】
なお、この実施例では、中間部環状リブ３７の最も外側に突出した頂点部が、抜け止め用環状リブ３４の基端側部分の側部に位置するように設けられている。また、中間部環状リブ３７は、抜け止め用環状リブ３４の基端側部分かつ螺旋状突起３６の先端３６ｃの側部となる部位に設けられている。具体的には、中間部環状リブの最も外側に突出した頂点部は、抜け止め用環状リブ３４の最も内側に突出した頂点部より若干基端側に位置するものとなっている。なお、中間部環状リブ３７の少なくとも頂点より先端側部分は、抜け止め用環状リブ４の基端側部分と軸方向において重なっている。
また、中間部環状リブ３７は、図４に示すように、螺旋状突起３６の先端３６ｃと軸方向に重なるように形成されている。さらに、この実施例のガスケット３では、図４に示すように、螺旋状突起３６の先端３６ｃは、抜け止め用環状リブ３４のリブ欠損部３５に隣接する部分に連結している。そして、中間部環状リブ３７は、連結部（先端３６ｃ）付近に頂点が位置するように配置されている。そして、この実施例のガスケット３では、抜け止め用環状リブ３４が、ガスケット３の中心軸に対して直交するものとなっており、これに対応して、中間部環状リブ３７も同様なものとなっている。
【００２４】
図４に示すように、中間部環状リブ３７の外径は、先端側環状リブ３８の外径および基端側環状リブ３９の外径よりも小さいものとなっている。これにより、外筒２内を摺動するガスケット３の摺動抵抗を低く抑えることができる。また、中間部環状リブ３７の外径は、外筒２の内径よりも大きいものとなっている。これにより、プランジャ４が強く基端側に引かれた時、中間部環状リブ３７が確実に外筒２の内周面に当接し、抜け止め用環状リブ３４の変形を確実に阻害することができる。
また、中間部環状リブ３７と外筒２の内周面との接触面積は、先端側環状リブ３８と外筒２の内周面との接触面積および基端側環状リブ３９と外筒２の内周面との接触面積よりも小さいことが好ましい。このようにすることにより、外筒２へのガスケット３の真空打栓時やプランジャ４の操作時におけるガスケット３の外筒２への接触抵抗（摺動抵抗）を低く抑えることができ、かつ、先端側環状リブ３８および基端側環状リブ３９によって、充填される薬剤８に対する液密性は確保できる。
【００２５】
また、この実施例では、中間部環状リブ３７の縦断面形状は、横方向に向いて頂部が尖った山型形状とされており、頂部の先端が、外筒２の内面に当接可能となっている。頂部を有する山型形状に形成されることにより、中間部環状リブ３７の外筒２の内周面への接触面積を減らすことができる。なお、抜け止め用環状リブ３４の変形をより規制するために、外筒２内周面に接触する中間部環状リブの当接部の面積を広くし、中間部環状リブを十分に支持可能なものとしてもよい。この場合、中間部環状リブを、例えば、その縦断面形状が矩形状や半球状となるようにすることが好ましい。
【００２６】
なお、中間部環状リブの外径は、外筒２の内径より０〜１．０ｍｍ大きいことが好ましく、特に、外筒２の内径が８〜１０ｍｍの場合、外筒２の内径より０．１〜０．５ｍｍ大きいことが好ましい。これにより、プランジャ４を基端側に引っ張った際の抜け止め用環状リブ３４の変形を阻害しながら、外筒２内を摺動するガスケット３の摺動抵抗を低く抑えることができる。なお、プランジャ４が強く基端側に引かれた時、中間部環状リブ３７が外筒２の内周面に当接し、抜け止め用環状リブ３４の変形を阻害する範囲において、中間部環状リブの外径を外筒２の内径より小さくしてもよい。
【００２７】
ガスケット３の構成材料としては、従来からガスケットに使用されている公知のものが使用できる。例えば、ゴム、エラストマー、ポリオレフィン系樹脂、フッ素系樹脂、ポリエステル系樹脂が挙げられる。ゴムとしては、例えば、天然ゴム、イソプレンゴム、ブチルゴム、クロロプレンゴム、ニトリル−ブタジエンゴム、スチレン−ブタジエンゴム、シリコーンゴムが好ましく、特に、加硫処理したものが好ましい。エラストマーとしては、例えば、ポリ塩化ビニル系エラストマー、ポリオレフィン系エラストマー、スチレン系エラストマー、ポリエステル系エラストマー、ポリアミド系エラストマー、ポリウレタン系エラストマー及びこれらの混合物が好ましい。上記ゴム、エラストマーの中でも、特に、スチレン−ブタジエンゴム、ブチルゴム、スチレン系エラストマーが、好適な硬度、弾性特性を有し、γ線滅菌、電子線滅菌、高圧蒸気滅菌などの各種滅菌方法が採用可能であることから好ましい。
【００２８】
また、ガスケットの先端側部分に低薬剤吸着性物質等を被覆したものであってもよい。低薬物吸着層の材質としては、従来からラミネートガスケットに使用されている公知のものが使用できる。低薬物吸着層の材質としては、例えば、ポリオレフィン系樹脂、フッ素系樹脂、ポリエステル系樹脂が挙げられる。具体的に、ポリオレフィン系樹脂としては、ポリプロピレン、超高分子量ポリエチレン、ポリ（４−メチルペンテン−１）、環状ポリオレフィン等が好ましく、フッ素系樹脂としては、四フッ化エチレン−パーフルオロエトキシエチレン共重合体、ポリテトラフルオロエチレン、テトラフルオロエチレン／パーフルオロアルキルビニルエーテル共重合体、テトラフルオロエチレン／ヘキサフルオロプロピレン共重合体等が好ましい。また、ガスケット３の外面、少なくとも先端側環状リブ３８、基端側環状リブ３９及び中間部環状リブ３７の表面に潤滑剤の塗布を行うことが好ましい。潤滑剤としては、シリコーンオイルが好適である。
【００２９】
プランジャ４は、図１，図２、図６ないし図８に示すように、プランジャ本体部４１と、プランジャ本体部４１より先端方向に突出するヘッド部４２とを備える。プランジャ本体部４１は、先端に位置し、ヘッド部４２が突出する円盤部４８と、基端に位置する押圧部４５とを備えている。プランジャ本体部４１は、図６および図９に示すように断面十字状に形成されたシャフト部を備え、その先端に円盤部４８が設けられ、基端に円盤状のプランジャ押圧部４５が設けられている。
ヘッド部４２は、プランジャ４の先端部に設けられた突出部である。ヘッド部４２は、本体部４１の先端に設けられた円盤部４８の中央付近から前方に突出している。ヘッド部４２は、棒状のものとなっている。図６ないし図８に示すように、ヘッド部４２は、軸部４３とその外面に形成された螺旋状リブ４４を備えている。また、軸部４３の先端は平坦になっている。軸部４３は、筒状、円柱状、断面が４角形、５角形、６角形等の多角形、十字形状等であってもよい。
【００３０】
そして、プランジャ４のヘッド部４２の先端部外面、具体的には、軸部４３の先端部外面には、螺旋状リブ４４が形成されている。この実施例におけるプランジャ４では、図６ないし図８に示すように、上述したガスケット３の螺合部３３に対応するように、二条（二本）の螺旋状リブ４４が形成されている。螺旋状リブ４４は、プランジャ４のヘッド部４２の先端部、具体的には、軸部４３の先端に始端を有し、所定長基端側に延びるものとなっている。このような複数（具体的には、二条）の螺旋状リブを備えることが好ましいが、螺旋状リブは、一条（一本）のみであってもよい。
【００３１】
そして、プランジャ４の螺旋状リブ４４の高さ（外側への突出長）は、以下のようなものであることが好ましい。プランジャ４の螺旋状リブ４４の高さとしては、０．５〜２．５ｍｍが好ましく、特に、１．０〜２．０ｍｍが好ましい。プランジャ４の構成材料としては、高密度ポリエチレン、ポリプロピレン、ポリスチレン、ポリエチレンテレフタレート等の硬質もしくは半硬質樹脂を用いることが好ましい。
【００３２】
外筒２は、透明もしくは半透明材料により、好ましくは、酸素透過性、水蒸気透過性の少ない材料により形成された筒状体である。外筒２は、図２および図９に示すように、ノズル部２２と、カラー２３とを備える。ノズル部２２は、外筒２の先端に設けられており、外筒内の薬液等を排出するための先端開口部を備えるとともに先端に向かってテーパー状に縮径するように形成されている。カラー２３は、ノズル部２２を取り囲むようにノズル部２２と同心的に円筒状に形成されている。また、カラー２３は、先端が開口しており、カラー２３の内径および外径は基端（外筒先端面２１）から先端までほぼ同一径となっている。また、カラー２３の先端開口からはノズル部２２の先端部が突出しており、ノズル部２２およびカラー２３の先端部は、ノズル部２２およびカラー２３を封止部材（シールキャップ）５内に収納しやすくするため面取り加工されている。
【００３３】
カラー２３の内周面には、後述するシールキャップ５のノズル収納部５３に形成されたネジ山（キャップ側螺合部）５４と螺合するためのネジ溝（外筒側螺合部）２５が形成されている。これにより、外筒２とシールキャップ５はカラー２３内周面とノズル収納部５３外周面との間で螺合する。また、ネジ溝（外筒側螺合部）２５は、シールキャップ５を外筒から取り外した後注射針（注射針のハブ）を取り付ける部分となる。外筒は、図１、図２および図９に示すように、フランジ２４を有する。フランジ２４は、外筒２の基端全周より垂直方向に突出するように形成された楕円ドーナツ状の円盤部である。フランジ２４は、図１、図２、図９に示すように向かい合う幅広となった２つの把持部２４ａ，２４ｂを備え、さらに、把持部の先端面側には、複数のリブが形成されている。
【００３４】
外筒２の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンのような各種樹脂が挙げられるが、その中でも成形が容易で耐熱性があることから、ポリプロピレン、環状ポリオレフィンのような樹脂が好ましい。封止部材であるシールキャップ５は、図１、図２、図１０に示すように、閉塞端５１と、ノズル収納部５３とカラー収納部５２を備えている。
【００３５】
ノズル収納部５３は、シールキャップ５の中央部に設けられ、先端が閉塞し円筒状である。ノズル収納部５３の内径は、ノズル部２２より若干大きく作製され、先端から基端まで基端に向かって若干テーパー状に拡径しており、基端開口からノズル部２２全体を収納するものとなっている。ノズル収納部５３の内側閉塞面（閉塞端５１の内面）には、外筒２の先端開口部を液密に密封するためのシール部材５５が収納されている。シール部材５５としては、外筒２の先端開口部を液密に密封可能なように弾性部材であることが好ましい。シール部材の形成材料としては、例えば、天然ゴム、イソプレンゴム、ブタジエンゴム、フッ素ゴム、シリコーンゴム等の合成ゴム、オレフィン系エラストマーやスチレン系エラストマー等の熱可塑性エラストマー等を使用することが好ましい。また、ノズル収納部５３の外面には、外筒２のカラー２３の内面に形成されたネジ溝（外筒側螺合部）２５と螺合するためのネジ山（キャップ側螺合部）５４が形成されている。これにより、外筒２とシールキャップ５は、ノズル収納部５３の外面とカラー２３の内面との間で螺合する。
【００３６】
カラー収納部５２は、ノズル収納部５３を取り囲むように形成され先端が閉塞した円筒状体であり、カラー収納部５２の内面とノズル収納部５３の外面との間にカラー２３を収納する。また、円筒状に形成されたカラー収納部５２は、ノズル収納部５３と同心状となっており、カラー収納部５２の内径は、先端から基端までほぼ同一径となっている。また、図１に示すように、シールキャップ５の外側面（カラー収納部５２の外周面）には、シールキャップ５を回転させる時に指等が滑らないようにするために縦方向に刻み加工が施されている。シールキャップ５の形成材料としては、例えば、ポリプロピレン、ポリエチレン、ポリスチレン、ポリアミド、ポリカーボネート、ポリ塩化ビニル、ポリ−（４−メチルペンテン−１）、アクリル樹脂、アクリロニトリル−ブタジエン−スチレン共重合体、ポリエチレンテレフタレート等のポリエステル、環状ポリオレフィンのような各種樹脂が挙げられるが、その中でも成形が容易で耐熱性があることから、ポリプロピレン、環状ポリオレフィンのような樹脂が好ましい。
【００３７】
そして、本発明のプレフィルドシリンジ１は、図１および図２に示すように、上述した注射器１０と、外筒２の先端開口部を封止する封止部材５とガスケット３間により形成される空間に充填された薬剤８とを備えている。薬剤８としては、どのような薬剤でもよいが、例えば、シクロスポリン、ベンゾジアゼピン系薬剤、塩化ナトリウム注射液、ビタミン剤、ミネラル類などの薬液、生理食塩水などの溶解液、さらには、抗生物質、タンパク製剤等の粉末状もしくは凍結乾燥薬剤あるいは液剤が使用される。本発明のプレフィルドシリンジは、特にバイアルなどに収納された薬剤を溶解する溶解液が充填されたプレフィルドシリンジに適している。このような溶解液としては、生理食塩水、注射用水、ブドウ糖液などが挙げられる。
【００３８】
次に、本発明の注射器１０ならびにプレフィルドシリンジ１の作用を図７および図８を用いて説明する。この実施例のプレフィルドシリンジ１は、例えば、ガスケット３にプランジャ４が装着されていない状態で提供される。そして、使用時にガスケット３にプランジャ４が装着される。
そして、プランジャ４の螺旋状リブ４４をガスケット３の螺合部３３の基端に挿入した後、プランジャ４を回転させることにより、螺旋状リブ４４と螺合部３３との螺合が進行する。さらにプランジャ４を回転させると、螺旋状リブ４４は、抜け止め用環状リブ３４のリブ欠損部３５を通過し、収納部３２内に進入し、プランジャの回転を継続することにより、図８に示すように、螺旋状リブ４４の全体は、抜け止め用環状リブ３４のリブ欠損部３５を通過し、プランジャ４のヘッド部４２の螺旋状リブ形成部位は、ガスケット３の収納部３２内に収納された状態となる。これにより、プランジャ４のガスケット３への装着作業は、完了する。なお、装着作業において、螺旋状リブ４４は、リブ欠損部３５を通過することにより、環状リブを通過するものとなっており、抜け止め用環状リブ３４を直接乗り越えるものではないため、両者が強く接触することがなく、装着作業時におけるプランジャの回転によりガスケットが回転することがない。
【００３９】
そして、プランジャ４がガスケット３に装着された状態では、プランジャ４の螺旋状リブ４４の基端面は、ガスケット３の抜け止め用環状リブ３４の先端面と当接するため、プランジャ４のガスケット３からの離脱が規制される。また、プランジャ４のヘッド部４２の螺旋状リブ形成部位がガスケット３の収納部３２に収納された状態では、プランジャ４は、空転するものとなっている。さらに、通常状態にていずれの方向に回転しても、螺旋状リブ４４の基端が、抜け止め用環状リブ３４のリブ欠損部３５に進入することはなく、プランジャ４の回転によるプランジャ４の離脱ならびにガスケット３の回転を抑制する。
【００４０】
上述したようにプランジャ４の螺旋状リブ４４の基端面はガスケット３の抜け止め用環状リブ３４の先端面と当接して、プランジャ４のガスケット３からの離脱が規制されている。また、螺旋状リブ４４が抜け止め用環状リブ３４を押し広げるまで、プランジャ４が基端側に引かれた場合には、中間部環状リブ３７が外筒２の内周面に当接することにより抜け止め用環状リブ３４が所定以上押し広げられないように規制する。特に、抜け止め用環状リブ３４にはリブ欠損部３５が設けられているため、螺旋状リブ４４が抜け止め用環状リブ３４をより乗り越えやすくなっている。しかし、中間部環状リブ３７が、螺旋状リブ４４の基端面が抜け止め用環状リブ３４の先端面との当接状態を維持することにより、プランジャ４の引き抜き動作に対抗し、プランジャ４の離脱が防止される。なお、中間部環状リブ３７は、螺旋状突起３６の先端付近についても押し広げられないように規制することができるので、仮に抜け止め用環状リブ３４から螺旋状リブ４４が引き抜かれても、螺旋状突起３６と螺旋状リブ４４との当接状態を維持して、プランジャ４が直ちには離脱しないようにすることもできる。
【００４１】
なお、本発明の注射器１０に用いられるプランジャは、図１１ないし図１３に示すような先端形状を有するプランジャ４ａであってもよい。
このプランジャ４ａと上述したプランジャ４との相違は、螺旋状リブの形態のみである。
プランジャ４ａのヘッド部４２ａの先端部外面、具体的には、軸部４３の先端部外面には、螺旋状リブ４４が形成されている。また、この実施例におけるプランジャ４ａにおいても、図１１ないし図１３に示すように、上述したガスケット３の螺合部３３に対応するように、二条（二本）の螺旋状リブ４４が形成されている。螺旋状リブ４４は、プランジャ４ａのヘッド部４２ａの先端部、具体的には、軸部４３の先端に始端を有し、所定長基端側に延びるものとなっている。このような複数（具体的には、二条）の螺旋状リブを備えることが好ましいが、螺旋状リブは、一条（一本）のみであってもよい。
【００４２】
そして、この実施例のプランジャ４ａでは、螺旋状リブ４４は、軸部４３の周方向に延びる周方向延出部４７を螺旋状リブ４４の基端に有している。周方向延出部４７は、軸部４３の中心軸にほぼ直交するように所定長周方向に延びるものなっている。このため、実質的に、螺旋形態を持たないものなっている。そして、周方向延出部４７の基端面は、ほぼ平坦面となっている。また、周方向延出部４７は、ガスケット３の螺合部３３および抜け止め用環状リブ３４のリブ欠損部を通過可能なものとなっている。周方向延出部４７の中心角は、３０〜１５０度であることが好ましく、特に８０〜１００度が好ましい。なお、ここで言う周方向延出部の中心角とは、周方向延出部の始端および終端と軸部の中心軸とをそれぞれ結んだ２つの直線がなす角度のことである。
【００４３】
そして、このプランジャ４ａは、ガスケット３に上述したプランジャ４と同様に、プランジャ４ａの螺旋状リブ４４をガスケット３の螺合部３３の基端に挿入した後、プランジャ４ａを回転させることにより、螺旋状リブ４４と螺合部３３との螺合が進行する。さらにプランジャ４ａを回転させると、螺旋状リブ４４は、抜け止め用環状リブ３４のリブ欠損部３５を通過し、収納部３２内に進入し、プランジャの回転を継続することにより、図１３に示すように、螺旋状リブ４４の全体は、抜け止め用環状リブ３４のリブ欠損部３５を通過し、プランジャ４ａのヘッド部４２ａの螺旋状リブ形成部位は、ガスケット３の収納部３２内に収納された状態となる。
【００４４】
そして、プランジャ４ａが、ガスケット３に装着された状態では、プランジャ４ａの螺旋状リブ４４（周方向延出部４７）の基端面は、ガスケット３の抜け止め用環状リブ３４の先端面と当接するため、プランジャ４ａのガスケット３からの離脱が規制される。さらに、この実施例のプランジャ４ａでは、螺旋状リブ４４が基端に周方向延出部４７を有している。この周方向延出部４７の基端面は、図７に示すプランジャ４の螺旋状リブ４４の基端面より大きい。このため、抜け止め用環状リブ３４の先端面に当接するプランジャ４ａの螺旋状リブ４４の基端面が大きくなり、プランジャ４ａが基端側に引かれた場合におけるガスケット３からのプランジャ４ａの離脱がより確実に防止される。
【産業上の利用可能性】
【００４５】
本発明の注射器は、以下のものである。
（１）先端が閉塞し基端が開口する筒状体であり、かつ、基端側より先端側に延びる内腔部を備えるガスケットと、先端開口部を備えかつ前記ガスケットを摺動可能に収納する外筒と、前記ガスケットの前記内腔部内に収納可能なヘッド部を有するプランジャとを備える注射器であって、前記プランジャは、前記ヘッド部の外面に設けられた螺旋状リブを備え、前記ガスケットは、前記内腔部の内面に、前記プランジャの前記螺旋状リブと螺合する螺旋状突起と、該螺旋状突起の付近かつ先端側に位置するプランジャ抜け止め用環状リブとを備え、さらに、前記内腔部は、前記抜け止め用環状リブより先端側に前記プランジャの前記ヘッド部の前記螺旋状リブ形成部位を収納するための収納部を備え、前記抜け止め用環状リブは、前記プランジャと前記ガスケットの螺合の進行により前記抜け止め用環状リブに到達した前記螺旋状リブを前記収納部に誘導するためのリブ欠損部を備え、前記ガスケットの外周面には、前記外筒の内径よりも大きな外径を有する先端側環状リブと、前記外筒の内径よりも大きな外径を有する基端側環状リブと、前記先端側環状リブと前記基端側環状リブ間に設けられた中間部環状リブを備え、さらに、前記中間部環状リブは、前記抜け止め用環状リブの側部となる部位に設けられている注射器。【００４６】
このため、プランジャの螺旋状リブが抜け止め用環状リブを押し広げるように、プランジャが強く基端側に引かれた時、抜け止め用環状リブに付与される基端側への変形力は、中間部環状リブに伝達される。中間部環状リブは、外筒の内周面に当接することにより、伝達される力に対抗し、抜け止め用環状リブの変形を阻害する。これにより、抜け止め用環状リブが所定以上押し広げられることが防止される。よって、螺旋状リブの基端面と抜け止め用環状リブの先端面との当接状態が維持され、プランジャが基端側に引かれた時におけるプランジャの離脱が防止される。また、抜け止め用環状リブにはリブ欠損部が設けられているため、プランジャの螺旋状リブが抜け止め用環状リブを乗り越えやすいものとなっている。もし、乗り越え時に、螺旋状リブがリブ欠損部付近の抜け止め用環状リブと強く接触することにより抵抗が発生した場合には、中間部環状リブが内側から押され、外筒に強く接触するため、ガスケットの回転抵抗も高くなる。このため、中間部環状リブは、プランジャの装着時、特に、螺旋状リブのリブ欠損部通過時におけるガスケットの回転を防止する。【００４７】
そして、上記注射器の実施形態としては、以下のものであってもよい。
（２）  前記中間部環状リブの外径は、前記先端側環状リブの外径および前記基端側環状リブの外径よりも小さいものとなっている上記（１）に記載の注射器。
（３）  前記中間部環状リブは、前記外筒の内径よりも大きな外径を有している上記（２）に記載の注射器。
（４）  前記中間部環状リブと前記外筒の内周面との接触面積は、前記先端側環状リブと前記外筒の内周面との接触面積および前記基端側環状リブと前記外筒の内周面との接触面積よりも小さいものとなっている上記（３）に記載の注射器。
（５）  前記中間部環状リブの縦断面形状は、頂部を有する山型形状である上記（１）ないし（４）のいずれかに記載の注射器。
（６）  前記中間部環状リブは、前記中間部環状リブの最も外側に突出した頂点部が、前記抜け止め用環状リブの基端側部分の側部に位置するように設けられている上記（１）ないし（５）のいずれかに記載の注射器。【００４８】
（７）  前記螺旋状突起の先端は、前記抜け止め用環状リブの前記リブ欠損部に隣接する部分に連結しており、前記螺旋状突起の先端部の先端側の面は、前記リブ欠損部の基端に隣接している上記（１）ないし（６）のいずれかに記載の注射器。
（８）  前記ヘッド部は、軸部を備え、前記螺旋状リブは、前記軸部に設けられており、さらに、前記螺旋状リブの基端は、前記軸部の中心軸に対してほぼ直交するように、前記軸部の周方向に延びる周方向延出部となっている上記（１）ないし（７）のいずれかに記載の注射器。
（９）  前記注射器は、プレフィルドシリンジ用の注射器である上記（１）ないし（８）のいずれかに記載の注射器。
本発明のプレフィルドシリンジは、以下のものである。
（１０）  上記（１）ないし（９）のいずれかに記載の注射器と、前記外筒の前記先端開口部を封止する封止部材と、前記外筒内に収納された薬剤とを備えるプレフィルドシリンジ。
【図１】
2014196057.tif 000003
【図２】
2014196057.tif 000004
【図３】
2014196057.tif 000005
【図４】
2014196057.tif 000006
【図５】
2014196057.tif 000007
【図６】
2014196057.tif 000008
【図７】
2014196057.tif 000009
【図８】
2014196057.tif 000010
【図９】
2014196057.tif 000011
【図１０】
2014196057.tif 000012
【図１１】
2014196057.tif 000013
【図１２】
2014196057.tif 000014
【図１３】
2014196057.tif 000015
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
先端が閉塞し基端が開口する筒状体であり、かつ、基端側より先端側に延びる内腔部を備えるガスケットと、先端開口部を備えかつ前記ガスケットを摺動可能に収納する外筒と、前記ガスケットの前記内腔部内に収納可能なヘッド部を有するプランジャとを備える注射器であって、
前記プランジャは、前記ヘッド部の外面に設けられた螺旋状リブを備え、
前記ガスケットは、前記内腔部の内面に、前記プランジャの前記螺旋状リブと螺合する螺合部を形成する螺旋状突起と、該螺旋状突起の付近かつ先端側に位置するプランジャ抜け止め用環状リブとを備え、さらに、前記内腔部は、前記抜け止め用環状リブより先端側に前記プランジャの前記ヘッド部の前記螺旋状リブ形成部位を収納するための収納部を備え、前記抜け止め用環状リブは、前記プランジャと前記ガスケットの螺合の進行により前記抜け止め用環状リブに到達した前記螺旋状リブを前記収納部に誘導するためのリブ欠損部を備え、
前記ガスケットは、外周面に、前記外筒の内径よりも大きな外径を有する先端側環状リブと、前記外筒の内径よりも大きな外径を有する基端側環状リブと、前記先端側環状リブと前記基端側環状リブ間に設けられた中間部環状リブを備え、さらに、前記中間部環状リブは、前記抜け止め用環状リブの側部となる部位に設けられていることを特徴とする注射器。
【請求項２】
前記中間部環状リブの外径は、前記先端側環状リブの外径および前記基端側環状リブの外径よりも小さいものとなっている請求項１に記載の注射器。
【請求項３】
前記中間部環状リブは、前記外筒の内径よりも大きな外径を有している請求項２に記載の注射器。
【請求項４】
前記中間部環状リブと前記外筒の内周面との接触面積は、前記先端側環状リブと前記外筒の内周面との接触面積および前記基端側環状リブと前記外筒の内周面との接触面積よりも小さいものとなっている請求項３に記載の注射器。
【請求項５】
前記中間部環状リブの縦断面形状は、頂部を有する山型形状である請求項１ないし４のいずれかに記載の注射器。
【請求項６】
前記中間部環状リブは、前記中間部環状リブの最も外側に突出した頂点部が、前記抜け止め用環状リブの基端側部分の側部に位置するように設けられている請求項１ないし５のいずれかに記載の注射器。
【請求項７】
前記螺旋状突起の先端は、前記抜け止め用環状リブの前記リブ欠損部に隣接する部分に連結しており、前記螺旋状突起の先端部の先端側の面は、前記リブ欠損部の基端に隣接している請求項１ないし６のいずれかに記載の注射器。
【請求項８】
前記ヘッド部は、軸部を備え、前記螺旋状リブは、前記軸部に設けられており、さらに、前記螺旋状リブの基端は、前記軸部の中心軸に対してほぼ直交するように、前記軸部の周方向に延びる周方向延出部となっている請求項１ないし７のいずれかに記載の注射器。
【請求項９】
前記注射器は、プレフィルドシリンジ用の注射器である請求項１ないし８のいずれかに記載の注射器。
【請求項１０】
請求項１ないし９のいずれかに記載の注射器と、前記外筒の前記先端開口部を封止する封止部材と、前記外筒内に収納された薬剤とを備えるプレフィルドシリンジ。
【国際調査報告】
2014196057.tif 000016
2014196057.tif 000017
2014196057.tif 000018
2014196057.tif 000019